(57)【要約】【課題】過電圧保護機能を有する電源保護装置に関し、定格を超える過電圧が印加されても一瞬も負荷側にその過電圧が伝わることがなく、負荷側に全く影響を与えることのない電源保護装置を実現することを目的とする。【解決手段】電源ラインに並列に設けられた整流平滑回路１と、整流平滑回路１で整流・平滑された入力電圧の電圧を検知するための電圧検知回路２と、電源ラインに直列に設けられたリレー５および突入電源防止回路４とを備え、電圧検知回路２の検知結果を遅延回路３を介してリレー５および突入電流防止回路４に伝達したことを特徴とするものである。【選択図】  図１
2004229414.tif 000002
【特許請求の範囲】
【請求項１】
電源ラインに並列に設けられた整流平滑回路と、前記整流平滑回路で整流・平滑された入力電圧の電圧を検知するための電圧検知回路と、前記電源ラインに直列に設けられたリレーおよび突入電流防止回路とを備え、前記電圧検知回路の検知結果を遅延回路を介して前記リレーおよび突入電流防止回路に伝達したことを特徴とする電源保護装置。
【請求項２】
負荷側への電力供給が行われていない場合、リレーおよび突入電流防止回路はＯＦＦ状態を保持するとともに、電圧検知回路にて過電圧が検知された場合も、前記リレーおよび前記突入電流防止回路はそのままＯＦＦ状態を保持することを特徴とする請求項１記載の電源保護回路装置。
【請求項３】
電圧検知回路にて過電圧が検知されなかった場合、前記リレーおよび前記突入電流防止回路をＯＮ状態にすることを特徴とする請求項１記載の電源保護装置。
【請求項４】
突入電流防止回路がリレーよりも先に動作するように前記突入電流防止回路の遅延時間を前記リレーの遅延時間よりも短くしたことを特徴とする請求項３記載の電源保護装置。
【発明の詳細な説明】
【０００１】
【発明の属する技術分野】
本発明は、過電圧保護機能を有する電源保護装置に関するものである。
【０００２】
【従来の技術】
一般に、この種の定格の入力電圧が印加された場合には負荷側にそのまま電力を供給し、定格を超える入力電圧が印加された場合には負荷側への電力供給を遮断する過電圧保護機能を有する電源保護装置は、入力電圧の電圧値を検出してその検出結果に基づき電源ラインの一部を遮断させるものであった（例えば、特許文献１および特許文献２参照）。
【０００３】
【特許文献１】
実開平５−５３６８４号公報
【特許文献２】
特開平１０−１１２９２７号公報
【０００４】
【発明が解決しようとする課題】
しかしながら、上記従来の構成では、実際に定格を超える過電圧が印加されると、過電圧を検知して電源ラインの一部を遮断させるまでに時間を必ず要するため、たとえ短い時間ではあっても負荷側に過電圧が印加されることになり、負荷側に影響を与えてしまうものであった。
【０００５】
本発明は、上記従来の課題を解決するものであり、定格を超える過電圧が印加されても一瞬も負荷側にその過電圧が伝わることがなく、負荷側に全く影響を与えることのない電源保護装置を実現することを目的とする。
【０００６】
【課題を解決するための手段】
上記目的を達成するために本発明の電源保護装置は、電源ラインに並列に設けられた整流平滑回路と、前記整流平滑回路で整流・平滑された入力電圧の電圧を検知するための電圧検知回路と、前記電源ラインに直列に設けられたリレーおよび突入電流防止回路とを備え、前記電圧検知回路の検知結果を遅延回路を介して前記リレーおよび突入電流防止回路に伝達したことを特徴とするものであり、この構成により、定格を超える過電圧が印加されても負荷側に影響を与えることのない電源保護装置を実現することができるものである。
【０００７】
また、本発明は、負荷側への電力供給が行われていない場合、リレーおよび突入電流防止回路はＯＦＦ状態を保持するとともに、電圧検知回路にて過電圧が検知された場合も、前記リレーおよび前記突入電流防止回路はそのままＯＦＦ状態を保持することを特徴とするものであり、この構成により、定格を超える過電圧が印加されても一瞬も負荷側にその過電圧が伝わることがなく、負荷側に全く影響を与えることのない電源保護装置を実現することができるものである。
【０００８】
また、本発明は、電圧検知回路にて過電圧が検知されなかった場合、前記リレーおよび前記突入電流防止回路をＯＮ状態にすることを特徴とするものであり、この構成により、定格を超える過電圧が印加されても負荷側に影響を与えることのない電源保護装置を実現することができるものである。
【０００９】
また、本発明は、突入電流防止回路がリレーよりも先に動作するように前記突入電流防止回路の遅延時間を前記リレーの遅延時間よりも短くしたことを特徴とするものであり、この構成により、定格を越える過電圧が印加されても一瞬も負荷側にその過電圧が伝わることがなく、負荷側に全く影響を与えることのない電源保護装置を実現することができるものである。
【００１０】
【発明の実施の形態】
以下、本発明の一実施の形態について、図面を参照しながら説明する。図１は本実施の形態の構成を示す回路図であり、図２は同実施の形態の具体的な回路構成を示す回路図である。
【００１１】
図１において、１は電源ラインに並列に設けられ入力電圧を整流・平滑するための整流平滑回路であり、２は整流平滑回路１により整流・平滑された入力電圧が定格電圧以上の過電圧が印加されていないか検知するための電圧検知回路である。
【００１２】
４は電源ラインに直列に設けられ過電圧が印加された際に突入電流の侵入を防止するための突入電流防止回路であり、５は電源ラインに直列に設けられた過電圧が印加された際に電源ラインの一部を遮断するためのリレーである。
【００１３】
ここで、３は本実施の形態の特徴部分である遅延回路であり、電圧検知回路２からの検知結果に基づき突入電流防止回路２を遅延させるとともに、リレー５を遅延させるように構成されている。
【００１４】
なお、上記回路構成において、負荷側への電力供給が行われない場合には、突入電流防止回路４およびリレー５がＯＦＦ状態を保持するように構成されているとともに、電圧検知回路２により過電圧が検知された場合も、突入電流防止回路４およびリレー５がそのままＯＦＦ状態を保持するように構成されている。
【００１５】
また、逆に電圧検知回路２により過電圧が検知されなかった場合には、突入電流防止回路４およびリレー５がＯＮ状態に切り替わるように構成されているとともに、その際突入電流防止回路４がリレー５よりも先に動作するように突入電流防止回路４の遅延時間をリレー５の遅延時間よりも短くなるように構成されている。
【００１６】
以上の構成を、図２を用いてより具体的に説明すると、整流平滑回路１、電圧検知回路２、遅延回路３（突入電流防止回路用３Ａ、リレー用３Ｂ）、突入電流回路４はそれぞれ点線で示されるように各種の電子部品から構成されている。すなわち、Ｄ０１，Ｄ０２はダイオード、ＺＤ０１はツェナーダイオード、Ｃ０１〜Ｃ０７はコンデンサ、Ｒ０１〜Ｒ１５は抵抗、Ｑ０１〜Ｑ０３はトランジスタ、ＰＣ０１はフォトトライアックカプラ、ＣＲ０１はトライアック、Ｋ０１はリレーである。
【００１７】
次に、以上のように構成された電源保護装置の回路動作を説明すると、電源ラインＡＣＩＮに正常な電圧が印加した場合の動作は、電源ラインを整流回路１にて整流し、電圧検知回路２のツェナーダイオードＺＤ０１（過電圧を検知用のツェナーダイオード）は動作させず、トランジスタＱ０１はＯＦＦ、Ｑ０２，Ｑ０３はＯＮ（遅延回路３の３Ｂ，３ＡにてトランジスタＱ２，Ｑ３のＯＮ時間を遅延する）し、リレーＫ０１とホトトライアックカプラＰＣ０１、トライアックＣＲ０１（突入防止回路４）をＯＮする。
【００１８】
そのとき、遅延回路３Ａと遅延回路３Ｂの遅延時間の関係は、遅延回路３Ｂの遅延時間を遅延回路３Ａより長くし、トランジスタＱ０３を先にＯＮし、ホトトライアックカプラＰＣ０１、トライアックＣＲ０１（突入防止回路４）をリレーＫ０１より先に動作させることにより、抵抗Ｒ１３（突入防止抵抗）を通して突入電流を抑制し、出力ＡＣＯＵＴに電圧を印加する。その後、リレーＫ０１をＯＮさせ電源ラインＡＣＩＮの電圧を出力ＡＣＯＵＴに印加させる。
【００１９】
電源ラインＡＣＩＮに過大な電圧が印加した場合の動作は、電源ラインを整流回路１にて整流し、電圧検知回路１のツェナーダイオードＺＤ０１にて過大な電圧を検知し、トランジスタＱ０１はＯＮ、Ｑ０２，Ｑ０３はＯＦＦ、リレーＫ０１とホトトライアックカプラＰＣ０１、トライアックＣＲ０１はＯＦＦ状態を保持するため、過大入力が出力ＡＣＯＵＴに印加しない。
【００２０】
トランジスタＱ０２とＱ０３は、遅延回路３Ｂ、３ＡでＯＮの動作を遅らせている為、トランジスタＱ０１を先に動作させることにより、トランジスタＱ０２，Ｑ０３は電源ラインＡＣＩＮに過大電圧が印加されても一瞬たりともＯＮしない。
【００２１】
すなわち、リレーＫ０１、トライアックＣＲ０１は、ＯＦＦ状態を保持している。
【００２２】
従って、本実施の形態によれば、電源ラインＡＣＩＮに過大な電圧を印加されても、出力ＣＯＵＴに過大な電圧は、一瞬たりとも印加することはない。
【００２３】
【発明の効果】
以上の説明から明らかなように、本発明によれば、定格を超える過電圧が印加されても一瞬も負荷側にその過電圧が伝わることがなく、負荷側に全く影響を与えることのない電源保護装置を実現することができる。
【図面の簡単な説明】
【図１】本発明の一実施の形態における電源保護装置の構成を示す回路図
【図２】同実施の形態の具体的な回路構成を示す回路図
【符号の説明】
１  整流平滑回路
２  電圧検知回路
３  遅延回路
４  突入電流防止回路
５  リレー
【図１】
2004229414.tif 000003
【図２】
2004229414.tif 000004